(57)【要約】【課題】浴室やシャワー室等のような高湿度環境下の水廻り室で使用した場合に安定したイオン放出量が確保できるイオン風発生装置を提供する。【解決手段】吹出口７を水廻り室１０に臨ませ、吸気口２を水廻り室外２０の空間に臨むように設けられる風洞１と、風洞１内に設けられ正電極４ｂと負電極４ｃ間の放電によりマイナスイオンを発生するイオン発生手段４と、風洞１内に吸気口２から吹出口７に向かう気流を発生させる送風手段３を備えるイオン風発生装置の作動時、イオン発生手段４の動作に先立ち、送風手段３が動作するようにする。【選択図】　図１
2004003740.tif 000002
【特許請求の範囲】
【請求項１】
吹出口を水廻り室に臨ませ、吸気口を水廻り室外の空間に臨むように設けられる風洞と、この風洞内に設けられ正電極と負電極間の放電によりマイナスイオンを発生するイオン発生手段と、前記風洞内に吸気口から吹出口に向かう気流を発生させる送風手段を備えるイオン風発生装置であって、前記イオン発生手段の動作に先立ち、前記送風手段が動作するイオン風発生装置。
【請求項２】
送風手段が動作し、風洞内の少なくとも吸気口から正電極及び負電極を配設した部位までの空気が、送風手段により発生した気流で水廻り室外から吸気口を経て風洞内に流入した空気と置換後、イオン発生手段が動作する請求項１記載のイオン風発生装置。
【請求項３】
送風手段の停止に先立ち、イオン発生手段が停止する請求項１又は請求項２記載のイオン風発生装置。
【請求項４】
イオン発生手段が停止し、風洞内の少なくとも正電極及び負電極を配設した部位から吹出口までの空気が、送風手段により発生した気流で水廻り室外から吸気口を経て風洞内に流入した空気と置換後、送風手段が停止する請求項３記載のイオン風発生装置。
【請求項５】
水廻り室が、浴室である請求項１〜請求項４のいずれかに記載のイオン風発生装置。
【発明の詳細な説明】
【０００１】
【発明の属する技術分野】
本発明は、浴室、シャワー室等の水を使用する水廻り室に設けるのに好適なイオン風発生装置に関する。
【０００２】
【従来の技術】
イオン風発生装置として、筒状のヘアブラシ本体内に設けたイオン発生部で発生したイオンをファンによって吹出孔から吹出すようにしたヘアブラシ（特開平９−３５０号公報参照）や、浴室内に設置する浴水循環浄化装置の本体内に、放電電極、この放電電極に負の高電圧を印加する高圧発生部及び送風ファンなどからなるマイナスイオン発生器を配設して、浴水循環浄化装置に設けた放出口から浴室内にマイナスイオンを放出するようにした浴水循環浄化装置（例えば、特開２００１−２６３７４２号公報参照）などが知られている。
【０００３】
【発明が解決しようとする課題】
しかし、このような放電電極によるイオン発生部を備えたヘアブラシや浴水循環浄化装置を、浴室やシャワー室などのような高湿度環境下の水廻り室で動作させると、徐々に放電電極の負電極に硝酸アンモニウム等が析出し付着して、放電が阻害され、マイナスイオンの発生量が減少して、放出されるイオン放出量が低下する。
【０００４】
本発明は、浴室やシャワー室等のような高湿度環境下の水廻り室で使用した場合に安定したイオン放出量が確保できるイオン風発生装置を提供しようとするものである。
【０００５】
【課題を解決するための手段】
本発明は、次のものに関する。
（１）吹出口を水廻り室に臨ませ、吸気口を水廻り室外の空間に臨むように設けられる風洞と、この風洞内に設けられ正電極と負電極間の放電によりマイナスイオンを発生するイオン発生手段と、前記風洞内に吸気口から吹出口に向かう気流を発生させる送風手段を備えるイオン風発生装置であって、前記イオン発生手段の動作に先立ち、前記送風手段が動作するイオン風発生装置。
（２）送風手段が動作し、風洞内の少なくとも吸気口から正電極及び負電極を配設した部位までの空気が、送風手段により発生した気流で水廻り室外から吸気口を経て風洞内に流入した空気と置換後、イオン発生手段が動作する上記（１）記載のイオン風発生装置。
（３）送風手段の停止に先立ち、イオン発生手段が停止する上記（１）又は（２）記載のイオン風発生装置。
（４）イオン発生手段が停止し、風洞内の少なくとも正電極及び負電極を配設した部位から吹出口までの空気が、送風手段により発生した気流で水廻り室外から吸気口を経て風洞内に流入した空気と置換後、送風手段が停止する上記（３）記載のイオン風発生装置。
（５）水廻り室が、浴室である上記（１）〜（４）のいずれかに記載のイオン風発生装置。
【０００６】
【作用】
風洞内のイオン発生手段により発生したイオンは、送風手段により生じた吸気口から吹出口に向かう気流によって風洞内を移動し、風洞の吹出口から水廻り室に放出される。
本発明において、吹出口を水廻り室に臨ませた風洞の吸気口は、水廻り室外の空間に臨むように設け、イオン発生手段の動作に先立って送風手段が動作する。
従って、先行して動作する送風手段により、水廻り室外の空間に臨む吸気口から流入する乾燥状態の空気で風洞内が満たされた状態で、イオン発生手段が動作する。これにより、イオン発生手段の動作時は風洞内の正電極及び負電極の周辺の空気は水廻り室外から流入した乾燥状態の空気となって、イオン風発生装置運転初期における放電による負電極への硝酸アンモニウム等の析出が抑制される。
なお、イオン風発生装置の運転時も水廻り室外に臨む吸気口から風洞内に乾燥状態の空気が吸入されて風洞内のイオン発生手段部分に供給されるので、イオン発生手段の負電極への硝酸アンモニウム等の析出が抑制される。
【０００７】
【発明の実施の形態】
本発明のイオン風発生装置の風洞の吹出口が臨むように設けられる水廻り室としては、水又は湯を使用することにより高湿度環境となる浴室の他、シャワー室等がある。
一方、風洞の吸気口を臨ませる水廻り室外の空間としては、乾燥した空気が得られ浴室やシャワー室に隣接される脱衣室、洗面室、居間、寝室などの部屋の他、場合によっては壁と壁との間の空間に臨むように設けてもよく、風洞は水廻り室の壁や天井に埋め込まれる。
【０００８】
本発明のイオン風発生装置は、イオン発生手段の動作に先立ち送風手段が動作するが、より具体的には、イオン発生手段は、先立って動作する送風手段によって、風洞内の吸気口からイオン発生手段の正電極及び負電極を配設した部位までの空気が吸気口から風洞内に流入した空気と置換した後、動作するようにする。
【０００９】
また、イオンが吸着した塵が風洞の内壁などに吸着するのを抑制してイオン発生量の減少を防ぐため、イオン発生手段が停止後、風洞内の正電極及び負電極を配設した部位から吹出口までの空気が吸気口から流入した空気と置換した後、送風手段を停止するのが好ましい。
【００１０】
【実施例】
以下、本発明によるイオン風発生装置の実施例を図１乃至図２を参照して詳細に説明する。
図１は本発明の一実施例によるイオン風発生装置の構造概略図であり、図２は別実施例による構造概略図である。
図１において、イオン風発生装置は、ケーシング８内に、風洞１の一端に吸気口２を設け、風洞１内の吸気口２近傍にモータ３ａとモータの回転軸に連結したファン３ｂとから構成される送風手段３を設け、この吹出し側にイオン発生手段４を設け、更に下流となる他端に吹出口７を設けている。
風洞１の吸気口２は、水廻り室１０に隣接する隣室の水廻り室外２０に臨むように配設し、吹出口７は、水廻り室１０としての浴室に臨むように配設して、図示は省略したがケーシング８を水廻り室（浴室）１０の壁に埋設した。
イオン発生手段４は、電源供給部、高電圧発生回路等を備えた本体部４ａと、正電極４ｂ、負電極４ｃで構成し、電界を集中させるため先端を鋭利とした負電極４ｃを風洞１の略中心軸上に配置し、電界の集中を避けるため広面積形状の円筒形状とした正電極４ｂを負電極４ｃが中心軸上になるように配置している。
【００１１】
送風手段３とイオン発生手段４の動作を制御する制御部５を設け、制御部５はタイマー（図示せず）を内蔵している。このように構成することにより、送風手段３は、水廻り室１０の隣室である水廻り室外２０の空間に臨む風洞１の吸気口２から吸気し、風洞１内部に吸気口２から水廻り室１０に臨む吹出口７に向かう気流を生じさせる。制御部５からの作動開始信号により送風手段３が動作し、風洞１内の吸気口２から正電極４ｂ及び負電極４ｃを配設した部位までの空気が吸気口２から風洞１内に流入した空気と置換した後、制御部５からの信号によりイオン発生手段４が動作する。
このとき制御部５は、送風手段２に作動開始信号を送信後の経過時間をタイマーで積算し、予め記憶している送風手段３の単位時間当りの風量と経過時間から、吸気口２からの流入量Ｑ１を計算し、風洞１内の吸気口２から正電極４ｂ及び負電極４ｃを配設した部位までの容積Ｑ２と比較しＱ１＞Ｑ２となった時点で、イオン発生手段４に対し作動開始信号を送信しイオン発生手段４が作動する。これにより、正電極４ｂ及び負電極４ｃの周辺の空気は、水廻り室１０の隣室である水廻り室外２０から流入した乾燥空気で満たされており、負電極４ｃ部分に硝酸アンモニウム等が析出するのを抑制する。
【００１２】
次に、制御部５からの作動停止信号によりイオン発生手段４が停止し、風洞１内の正電極４ｂ及び負電極４ｃを配設した部位から吹出口７までの空気が吸気口２から風洞１内に流入した空気と置換後、制御部５からの信号により送風手段３が停止する。このとき制御部５は、イオン発生手段４に作動停止信号を送信後の経過時間をタイマーで積算し、予め記憶している送風手段３の単位時間当りの風量と経過時間から、吸気口２からの流入量Ｑ３を計算し、風洞１内の正電極４ｂ及び負電極４ｃを配設した部位から吹出口７までの容積Ｑ４と比較しＱ３＞Ｑ４となった時点で、送風手段３に対し作動停止信号を送信して送風手段３が停止する。これにより、イオンが吸着した塵が風洞１内壁に吸着するのが抑制されて、イオン発生手段４でのイオン発生量の減少を防ぎ、安定したイオン放出量を確保することができるようになる。
【００１３】
次に、図２に示す実施例について説明すると、送風手段３、イオン発生手段４、制御部５、風洞１及びケーシング８は、図１に示した実施例と同様の構成であるが、この実施例では風洞１内の送風手段３の下流に、風量検知手段６を設けた。
このように構成することにより、送風手段３は水廻り室１０隣室の水廻り室外２０に臨む風洞１の吸気口２から吸気し、風洞１内部に吸気口２から水廻り室１０に臨む吹出口７に向かう気流を生じさせる。
制御部５からの作動開始信号により送風手段３が動作し、風洞１内の吸気口２から正電極４ｂ及び負電極４ｃを配設した部位までの空気が吸気口２から風洞１内に流入した空気と置換後、制御部５からの信号によりイオン発生手段４が動作する。このとき制御部５は、送風手段３に作動開始信号を送信後の経過時間をタイマーで積算し、風量検知手段６の出力信号と経過時間から、吸気口２からの流入量Ｑ５を計算し、風洞１内の吸気口２から正電極４ｂ及び負電極４ｃを配設した部位までの容積Ｑ２と比較しＱ５＞Ｑ２となった時点で、イオン発生手段４に対し作動開始信号を送信しイオン発生手段４が作動する。これにより、風洞１内の正電極４ｂ及び負電極４ｃの周辺の空気は、水廻り室外２０から流入した乾燥空気で満たされており、負電極４ｃに硝酸アンモニウム等が析出するのを抑制する。
【００１４】
制御部５からの作動停止信号によりイオン発生手段４が停止し、風洞１内の正電極４ｂ及び負電極４ｃを配設した部位から吹出口７までの空気が吸気口２から風洞１内に流入した空気と置換後、制御部５からの信号により送風手段３が停止する。このとき制御部５は、イオン発生手段４に作動停止信号を送信後の経過時間をタイマーで積算し、風量検知手段６の出力信号と経過時間から、吸気口２からの流入量Ｑ６を計算し、風洞１内の正電極４ｂ及び負電極４ｃを配設した部位から吹出口７までの容積Ｑ４と比較しＱ６＞Ｑ４となった時点で、送風手段３に対し作動停止信号を送信し送風手段３が停止する。
これにより、イオンが吸着した塵が風洞１内壁に吸着するのが抑制されて、イオン発生手段４でのイオン発生量の減少を防ぎ、より安定したイオン放出量を確保することができる。
この実施例のように、風量検知手段６を設けることで、送風手段３の送風能力を変更した場合においても、イオン発生手段４でのイオン発生量の減少を防ぎ、安定したイオン放出量を確保することができる。
【００１５】
以上、本発明の実施例について説明したが、この実施例に限らず以下に示すような形態も実施することができる。
風洞の断面形状は、実施例では円形としたが、例えば四角筒形など適宜の筒状形状を採用することができ、また、風洞を樹脂成形品で構成する場合は、イオン発生手段の保持手段、送風手段の保持手段などを一体成形した筒状形状とするのが好ましい。
送風手段は、風洞内に配置したものに限定されるものではなく、風洞内に吸気側から吹出口に向かう気流を発生させ得る構成であれば適宜採用することができ、特には、風洞に直接係止し得る風洞端部とするのが好ましい。
また、吸気口の配設位置を水廻り室（浴室）の隣室としたが、これに限定されるものでなく、乾燥した空気を吸気することができれば水廻り室に面した壁の空洞部等を適宜採用することが可能である。
さらに、制御部は、イオン発生手段と送風手段の作動に時間差を設けることができれば、適宜採用することができ、単に構成部品の特性から時間差を一定とし記憶してあっても可能である。
【００１６】
【発明の効果】
本発明のイオン風発生装置によれば、吹出口が水廻り室に臨む風洞の吸気口を水廻り室外の空間に臨むように設け、イオン発生手段の動作に先立ち、送風手段が動作する構成としており、イオン発生手段の作動時、先立って動作する送風手段により、水廻り室外の空間に臨む吸気口から流入する乾燥状態の空気で風洞内が満たされた状態で、イオン発生手段が動作するため、イオン風発生装置の運転開始初期の放電による負電極への硝酸アンモニウム等の析出が抑制され、また、イオン風発生装置の運転時も水廻り室外に臨む吸気口から風洞内に乾燥状態の空気が吸入されて風洞内のイオン発生手段部分に供給されるので、イオン発生手段の負電極への硝酸アンモニウム等の析出が抑制されて、水廻り室で使用した場合にもイオン放出量を安定的に確保することができる
【図面の簡単な説明】
【図１】本発明の一実施例によるイオン風発生装置の構造概略図である。
【図２】本発明の別実施例によるイオン風発生装置の構造概略図である。
【符号の説明】
１　風洞　　　　　　　　　　　　　２　吸気口
３　送風手段　　　　　　　　　　３ａ　モータ
３ｂ　ファン　　　　　　　　　　　　４　イオン発生手段
４ａ　本体部　　　　　　　　　　　４ｂ　正電極
４ｃ　負電極　　　　　　　　　　　　５　制御部
６　風量検知手段　　　　　　　　　７　吹出口
８　ケーシング　　　　　　　　　１０　水廻り室（浴室）
２０　水廻り室外（隣室）
【図１】
2004003740.tif 000003
【図２】
2004003740.tif 000004